(57)【要約】      （修正有）【課題】巣箱内で飼育する蜜蜂にとってストレスが無く、巣枠の取り出しを容易にする、蜜蜂巣箱および巣枠を提供する。【解決手段】蜜蜂巣箱の巣枠１は、一対の板状部材１１，１２からなる巣枠本体と、硬い針金からなる複数本の横向き線状部材１５を有する。巣枠本体は、所定の間隔を空けて向かい合う一対の板状部材１１，１２だけで構成されている。一対の板状部材１１，１２は、巣枠１の両サイドに位置する部材である。【選択図】図１
2020184901.tif 000002
【特許請求の範囲】
【請求項１】
養蜂で用いる蜜蜂巣箱用の巣枠であって、
巣枠の側部に位置し向かい合う一対の板状部材からなる巣枠本体と、
シート状の巣礎を張り付けることが可能であって、第１および第２の板状部材を向かい合う状態で支持するための、横向きの複数本の線状部材と、
を有することを特徴とする蜜蜂巣箱用の巣枠。
【請求項２】
最上段の線状部材より上の空間を遮らないように、かつ、
最下段の線状部材より下の空間を遮らないように、巣枠が構成されている、
ことを特徴とする請求項１に記載の蜜蜂巣箱用の巣枠。
【請求項３】
請求項１又は２に記載の巣枠と、
前記巣枠を収容可能な巣箱と、
を有することを特徴とする蜜蜂巣箱。
【発明の詳細な説明】
【技術分野】
【０００１】
本発明は、養蜂で用いる蜜蜂巣箱と、蜜蜂巣箱用の巣枠に関するものである。
【背景技術】
【０００２】
養蜂で使用する蜜蜂巣箱では巣枠が用いられている。
従来より利用されている一般的な巣枠は、幅広の４本の木製板状部材をフレーム状（四辺を有する矩形形状）に組み立てた巣枠本体を有しており、この巣枠本体の内側に蜜ロウからなるシート状の巣礎を張設している。また、フレーム状の巣枠本体の両サイドの外側面には、巣枠を巣箱上端に上掛け式に引っ掛けるための引っ掛け部（出っ張り）が張り出している。
【０００３】
このような構成の巣枠を巣箱内に並べる際には、巣枠を縦向きで巣箱内に挿入するとともに、巣枠両サイドの上端で外側に張り出している引っ掛け部を、巣箱の上端に引っ掛ける。これにより、巣枠全体が巣箱に収容され、かつ、巣箱内に収容された巣枠が縦向きを維持した状態で巣箱上端によって上掛け式に支えられる。
【０００４】
上述した従来の巣枠は、古くから広く一般的に利用されているものであるが、本願発明者の研究によれば、従来の巣枠には次のような欠点があることが明らかとなった。
【０００５】
巣枠の本体を構成する巣枠本体が、幅広の４本の板状部材をフレーム状（四辺を有する矩形形状）に組み立てたものであるため、巣枠本体の内側に張設した巣礎の上方と下方が、幅広の板状部材（フレームの上辺と下辺を構成する横向きの枠部材）によって遮られる。
【０００６】
このような幅広の遮蔽物（フレームの上辺と下辺を構成する横向きの枠部材）が、巣礎の上方と下方を横切るように遮っていると、巣箱内を上下方向で移動する蜜蜂にとって（行き手を阻まれることになって）ストレスとなり、特に、巣箱の段数を重ねた場合に巣箱内を上下方向で往来する蜜蜂にとって大きな障害となり、ひいては、養蜂にとって大きな障害となる。
【０００７】
また、従来の巣枠を巣箱内に並べると、巣枠の両サイドと巣箱の内壁面との間に大きな隙間が空いてしまう。そして、この隙間に蜜蜂が進入するため、巣箱内に並べた巣枠が巣箱内壁に対し蜜ロウで固着してしまい、巣枠の取り出しを困難にし、場合によっては取り出し時に巣枠や巣箱を傷めるといった問題がある。
【発明の概要】
【発明が解決しようとする課題】
【０００８】
上述した従来技術の問題点に鑑み、本発明の目的は、巣箱内で飼育する蜜蜂にとってストレスが無く、巣枠の取り出しを容易にする、蜜蜂巣箱および巣枠を提供することにある。
【課題を解決するための手段】
【０００９】
上記目的は、養蜂で用いる蜜蜂巣箱用の巣枠であって、
巣枠の側部において所定の間隔を空けて向かい合うように設けられた、一対の板状部材からなる巣枠本体（巣枠本体が横向きの２つの板状部材と縦向きの２つの板状部材によってフレーム状(矩形状)に構成されているものを除く）と、
シート状の巣礎を張り付けることが可能で、横向きに設けられ、第１および第２の板状部材を所定の間隔を空けて向かい合う状態で支持するための、複数本の線状部材と、
を有する蜜蜂巣箱用の巣枠によって達成される。
【００１０】
上記蜜蜂巣箱用の巣枠は、
最上段の線状部材より上の空間を遮らないように、かつ、
最下段の線状部材より下の空間を遮らないように、構成されている。
【００１１】
また前述した目的は、
上記特徴を具備する巣枠と、
この巣枠を収容可能な巣箱と、
を有する蜜蜂巣箱によって達成される。
【発明の効果】
【００１２】
本発明に係る巣枠において「巣枠本体」は、巣枠の両サイドに位置し所定の間隔を空けて向かい合うように設けられた一対の板状部材からなる巣枠本体で構成されている。すなわち巣枠本体は、従来のような幅広の４本の板状部材をフレーム状（四辺を有する矩形形状）に組み立てたものではなく、縦向きの平行な２本の板状部材で構成されており、その構造が従来のものと大きく相違している。つまり、本発明に係る巣枠において「巣枠本体」は、従来品に見られる「フレームの上辺と下辺を構成する横向きの枠部材」が取り除かれた様な構造となっている。
巣枠本体を上記のように簡素な構造とした代わりに、本発明では、硬い針金等からなる横向きの複数本の線状部材を設けている。硬い針金等からなる横向き線状部材によって、巣枠本体（第１および第２の板状部材）が所定の間隔を空けて向かい合う状態を一定に保っている。すなわち、横向き線状部材は、巣枠本体を一定の縦向き姿勢に固定するための支持手段として機能している。
【００１３】
このような特徴を採用することにより、巣枠本体が線状部材の上下を遮ることがないため、巣箱内での蜜蜂の上下方向の移動を妨げることがなくなって、巣箱内に蜜蜂が自由に往来できるようになり、ストレスの無い巣箱環境で蜜蜂を飼育することができる。特に、巣箱の段数を重ねた場合に巣箱内を移動する蜜蜂にとって、従来品に見られるような「フレームの上辺と下辺を構成する横向きの枠部材」が無いため往来の自由度が大きくなる。
【００１４】
また、本発明では、巣枠の両サイドと巣箱の内壁面との間にできる隙間が著しく狭くなる（隙間がほとんど生じなくなる）。したがって、巣枠を巣箱内に並べた状態で、従来品のように蜜蜂が隙間に入り込むことが無いので、従来のように巣箱内に並べた巣枠が巣箱内壁に対し蜜ロウで固着することが無い。すなわち、巣箱から巣枠を取り出す際に、巣箱や巣枠を傷めることが無い。
【００１５】
また、本発明に係る巣枠では、最上段の線状部材より上の空間を遮らないように、かつ、最下段の線状部材より下の空間を遮らないように、巣枠本体が構成されている。
このような特徴により、巣枠を並べた巣箱内での蜜蜂の移動を妨げることがなく、ストレスの無い巣箱環境で蜜蜂を飼育することができる。
【図面の簡単な説明】
【００１６】
【図１】本実施形態に係る蜜蜂巣箱の正面図と、蜜蜂巣箱を側面側から見た断面図である。
【図２】図１に示す蜜蜂巣箱の分解斜視図である。
【図３】図１に示す巣箱内に巣枠を並べる際の様子を示す斜視図である。
【図４】図１に示す蜜蜂巣箱が具備する巣枠を示す拡大図と、巣枠の組立時の様子を示す部分拡大図である。
【図５】複数段の巣箱を具備する蜜蜂巣箱を側面側から見た断面図である。
【発明を実施するための形態】
【００１７】
以下、添付に基づいて、本発明の具体的実施形態について説明する。
【００１８】
（蜜蜂巣箱の構成）
本実施形態で例示する蜜蜂巣箱は、図１及び図２に示すように、主として次の各構成を具備している。
・蜜蜂による巣作りのベースとなる巣枠１。
・複数の巣枠１を縦向きで収容可能に構成された巣箱３。
・巣箱３の上に被せる上蓋５。
・巣枠３の下方に設けられる、巣門７を具備する基台９。
【００１９】
図１〜図３に示すように、巣箱３は、その内側に、複数の巣枠１を平行かつ隣接した状態で収容することができる。このような巣枠１を収容している巣箱３に出入りする蜜蜂によって蜂の巣が形成される。巣箱３内に形成された蜂の巣は、巣枠１の内側で確りと保持される。
【００２０】
木枠からなる基台９は、巣箱３の下方に設けられている。この基台９には、図１及び図２に示すように、蜜蜂が自由に巣箱に出入りできるような巣門７（蜜蜂の出入り口）が形成されている。蜜蜂の出入り口である巣門７は図２に示すように、基台９を構成する板状部材の一部分を、略矩形状に切り欠くことで形成されている。巣門７を介して巣箱の内外間で出入りする蜜蜂は、基台９の上方の巣箱３内において巣枠１を利用して蜂の巣を形成する。
【００２１】
（巣枠の構成）
養蜂で用いる蜜蜂巣箱用の巣枠１は、次の部材を有している。
・一対の板状部材１１，１２からなる巣枠本体１３。
・硬い針金などからなる複数本の横向き線状部材１５。
【００２２】
本実施形態では巣枠本体１３は、所定の間隔（予め定めた寸法の間隔）を空けて向かい合う一対の板状部材１１，１２だけで構成されている。一対の板状部材１１，１２は、巣枠１の両サイドに位置する部材である。
したがって、従来品では、巣枠本体が横向きの２つの板状部材と縦向きの２つの板状部材によってフレーム状(矩形状)に構成されているのに対し、本実施形態では、横向きの２つの板状部材が無いので、両者はその構成において大きく異なるものである。
上記のような特徴を採用している結果、本実施形態の巣枠１は、最上段の線状部材より上の空間が何ら遮られることが無く、また、最下段の線状部材より下の空間が何ら遮られることが無い。
【００２３】
巣枠本体１３を構成する板状部材１１，１２の材質は特に限定されず、例えば木材や樹脂を採用することができるが、樹脂で板状部材１１，１２を作れば寸法の誤差が出にくく、正確な寸法に形成することができる。
【００２４】
線状部材１５の材質は特に限定されず、例えば針金や樹脂製の棒を採用することができるが、本実施形態では硬い針金で線状部材が構成されている。例えば直径が２mm〜３mmのものを使えば、針金が容易に変形することがなく、両サイドの板状部材１１，１２を支持するのに十分な強度を持たせることができる。
【００２５】
この複数本の線状部材１５は、図４に示すように横向きに設けられ、板状部材１１，１２を所定の間隔を空けて向かい合う状態で支持する役割を担う。また、複数本の線状部材１５には、蜜ロウからなるシート状の巣礎を張り付けることが可能である。
【００２６】
複数本の線状部材１５のうち、最上段の線状部材１５は、他の線状部材よりも長尺である。そして、巣枠本体１３を構成する一対の板状部材１１，１２の外側面には、最上段の線状部材１５の両端部が突き出している。この最上段の線状部材１５の突出部（板状部材１１，１２の外側面に突き出した部分）は、巣箱３の上端部において支えられる。最上段の線状部材１５の両端部が巣箱３の上端部に引っ掛かることによって、巣枠１の荷重は巣箱３によって支えられる。
【００２７】
巣枠本体１３を構成する一対の板状部材１１，１２の内側面には、図４（ｂ）に示すように、線状部材１５を差し込むことが可能な差込孔１７が形成されている。各差込孔１７は、有低の孔であって貫通していない。
ただし、最上段の線状部材１５の差込孔１７は貫通孔となっていて、図４（ａ）に示す様に、板状部材１１，１２の外側面に、最上段の線状部材１５の両端部が突き出るようになっている。板状部材１１，１２の外側面において、線状部材１５が突き出した部分は、巣箱３の上端部に引っ掛かる。その結果、巣枠１の荷重は巣箱３（巣箱３の上端部）によって支えられる。
【００２８】
上記構成の巣枠１を組み立てる際には、図４（ｂ）に示すように、板状部材１１，１２に形成した各差込孔１７に線状部材１５の端部を差し込む。これによって図４（ａ）に示すように、横向きの平行な複数本の線状部材１５，１５…によって、板状部材１１，１２が所定の間隔を空けて向かい合う状態が保持される。つまり、平行な複数本の線状部材１５は、板状部材１１，１２の支持手段として機能するものである。
【００２９】
（達成される優れた効果）
上述した特徴を具備する巣枠１とこれを具備する蜜蜂巣箱によれば、板状部材１１，１２からなる巣枠本体１３が線状部材１５の上下を何ら遮ることがないため、巣箱３内での蜜蜂の上下方向の移動を妨げることがなくなって、巣箱３内に蜜蜂が自由に往来できるようになり、ストレスの無い巣箱環境で蜜蜂を飼育することができる。
特に、図５に示すように巣箱３の段数を重ねた場合に複数段の巣箱内を移動する蜜蜂にとって、従来品に見られるような「フレームの上辺と下辺を構成する横向きの枠部材」が無いため往来の自由度が大きくなる。
【００３０】
また本発明では、巣枠１の両サイドと巣箱３の内壁面との間に、隙間がほとんど生じなくなる。
したがって、巣枠１を巣箱３内に並べた状態で、従来品のように蜜蜂が隙間に入り込むことが無いので、従来のように巣箱内に並べた巣枠が巣箱内壁に対し蜜ロウで固着することが無い。すなわち、巣箱３から巣枠１を取り出す際に、巣箱３や巣枠１を傷めることが無い。
【符号の説明】
【００３１】
１      巣枠
３      巣箱（重箱）
４      落下防止部材
５      上蓋
７      巣門（蜜蜂の第１の出入り口）
９      基台（巣門を具備する台／枠）
１１    板状部材
１２    板状部材
１３    巣枠本体
１５    線状部材
１７    差込孔
【図１】
2020184901.tif 000003
【図２】
2020184901.tif 000004
【図３】
2020184901.tif 000005
【図４】
2020184901.tif 000006
【図５】
2020184901.tif 000007